(57)【要約】【課題】本発明は、側面の剛性が高いディスクドライブ装置を提供することを目的とする。【解決手段】本発明に係るディスクドライブ装置は、底壁及び対向する２つの側壁によって開口を形成するブラケットと、２つの前記側壁の内側に設けられ、且つその端部は前記開口と互いに離間する２つのガイドレールと、前記開口により前記ブラケットに挿入される又は前記ブラケットから退出するトレーと、前記トレーの対向する両側に設けられ、且つ２つの前記ガイドレールにスライド可能に接続する２つのスライドレールと、を備え、２つの前記側壁の内側表面における前記ガイドレールの端部と前記開口との間には、支持部材がそれぞれに設けられ、前記支持部材は、前記トレーの搬入及び搬出方向に垂直な方向で前記スライドレールを支持する。【選択図】図４
2012104214.tif 000002
【特許請求の範囲】
【請求項１】
底壁及び対向する２つの側壁によって開口を形成するブラケットと、
２つの前記側壁の内側に設けられ、且つその端部は前記開口と互いに離間する２つのガイドレールと、
前記開口により前記ブラケットに挿入される又は前記ブラケットから退出するトレーと、
前記トレーの対向する両側に設けられ、且つ２つの前記ガイドレールにスライド可能に接続する２つのスライドレールと、
を備えてなるディスクドライブ装置であって、
２つの前記側壁の内側表面における前記ガイドレールの端部と前記開口との間には、支持部材がそれぞれに設けられ、前記支持部材は、前記トレーの搬入及び搬出方向に垂直な方向で前記スライドレールを支持することを特徴とするディスクドライブ装置。
【請求項２】
前記支持部材は、前記側壁の前記開口に近い末端に設けられることを特徴とする請求項１に記載のディスクドライブ装置。
【請求項３】
前記支持部材は、プレス加工により前記側壁に形成された突出点であることを特徴とする請求項１または２に記載のディスクドライブ装置。
【請求項４】
前記支持部材は、前記側壁に貼り付けた硬質綿であることを特徴とする請求項１から３のいずれか一項に記載のディスクドライブ装置。
【請求項５】
２つの前記ガイドレールの前記開口に近い末端には、支持ブロックがそれぞれに設けられ、前記支持部材は、前記支持ブロックよりさらに前記開口に近いことを特徴とする請求項１から４のいずれか一項に記載のディスクドライブ装置。
【発明の詳細な説明】
【技術分野】
【０００１】
本発明は、ディスクドライブ装置に関するものである。
【背景技術】
【０００２】
従来、光ディスク、磁気ディスク又は光磁気ディスクのような情報の記録媒体となるディスクが提案されている。そして、このようなディスクに対して情報信号の記録及び／又は再生を行うディスクドライブ装置が広く応用される。
【０００３】
図１に示されたように、従来のディスクドライブ装置１は、ブラケット２と、ディスクを載置して前記ブラケット２内に搬送し且つ前記ブラケット２から搬出するトレー３と、を備える。従来のディスクドライブ装置は、側面の剛性が低い。
【発明の概要】
【発明が解決しようとする課題】
【０００４】
本発明の目的は、前記課題を解決し、側面の剛性が高いディスクドライブ装置を提供することである。
【課題を解決するための手段】
【０００５】
本発明に係るディスクドライブ装置は、底壁及び対向する２つの側壁によって開口を形成するブラケットと、２つの前記側壁の内側に設けられ、且つその端部は前記開口と互いに離間する２つのガイドレールと、前記開口により前記ブラケットに挿入される又は前記ブラケットから退出するトレーと、前記トレーの対向する両側に設けられ、且つ２つの前記ガイドレールにスライド可能に接続する２つのスライドレールと、を備え、２つの前記側壁の内側表面における前記ガイドレールの端部と前記開口との間には、支持部材がそれぞれに設けられ、前記支持部材は、前記トレーの搬入及び搬出方向に垂直な方向で前記スライドレールを支持する。
【発明の効果】
【０００６】
従来の技術に比べて、本発明のディスクドライブ装置は、ブラケットの２つの側壁の開口端に支持部材を設けて、スライドレールの新しい支持点とすることにより、回転中心から力の作用点までの距離を短縮したので、トレーが受けることができる力の大きさが増大し、前記ディスクドライブ装置の側面の剛性が高い。
【図面の簡単な説明】
【０００７】
【図１】従来の技術に係るディスクドライブ装置の分解図である。
【図２】本発明の実施形態に係るディスクドライブ装置の分解図である。
【図３】図２に示すディスクドライブ装置のＩＩＩ部分の拡大図である。
【図４】本発明の実施形態に係るディスクドライブ装置のトレーが側方からの力を受ける場合を示す図である。
【発明を実施するための形態】
【０００８】
以下、図面を参照して、本発明の実施形態について説明する。
【０００９】
図２は、本発明の実施形態に係るディスクドライブ装置１００の分解図である。前記ディスクドライブ装置１００は、ブラケット１０と、ディスクを載置してＡ方向に沿って前記ブラケット１０内に搬送し且つ前記ブラケット１０から搬出するトレー２０と、を備える。
【００１０】
前記トレー２０の上表面には、ベースから下へ窪んで形成された円形のディスク載置部２１２が設けられており、前記トレー２０の下側面には、その搬入及び搬出方向に沿って歯車ラックが設けられる。前記トレー２０の歯車ラックは、前記ブラケット１０に設けられた駆動機構と噛合して、前記駆動機構が伝達した動力を利用して前記トレー２０を搬入及び搬出させる。
【００１１】
図３及び図４を併せて参照すると、前記ブラケット１０は、略矩形の底壁１１０を有する。前記底壁１１０の両側には、前記トレー２０の搬入及び搬出方向（図２に示すＡ方向である）に平行な２つの側壁１１２が前記底壁１１０に直交して設置される。前記底壁１１０及び２つの前記側壁１１２が協働して前記ブラケット１０の前方側の開口１１３を形成する。前記トレー２０は、前記開口１１３により前記ブラケット１０に挿入される又は前記ブラケット１０から退出する。２つの前記側壁１１２の内側にはガイドレール１１４がそれぞれに設けられ、前記トレー２０の対向する両側にはスライドレール１１６がそれぞれに設けられ、２つの前記スライドレール１１６は、２つの前記ガイドレール１１４にスライド可能に接続して、前記トレー２０は前記ブラケット１０に対してスライドして挿入され且つ退出することができる。前記ガイドレール１１４は、プラスチック材料からなり、前記スライドレール１１６は、ステンレスからなる。前記トレー２０は、前記ガイドレール１１４に沿って、ディスクを載置して前記ブラケット１０内に搬送し且つ前記ブラケット１０から搬出することができる。２つの前記ガイドレール１１４の前記開口１１３に近い末端には、支持ブロック１１８がそれぞれに設けられる。前記支持ブロック１１８は、前記スライドレール１１６を支持して、前記スライドレール１１６がＡ方向に直交するＢ方向に沿って移動しないようにする。前記支持ブロック１１８は、前記開口１１３から離間している。本実施形態において、前記支持ブロック１１８は、前記ガイドレール１１４と一体成形される。
【００１２】
２つの前記側壁１１２の内側表面における前記支持ブロック１１８と前記開口１１３との間には、支持部材１２０がそれぞれに設けられる。前記支持部材１２０は、前記トレー２０の搬入及び搬出方向に垂直な方向で前記スライドレール１１６を支持する。２つの前記支持部材１２０は、２つの前記側壁１１２の前記開口１１３に近い末端に設けられる。前記支持部材１２０は、前記支持ブロック１１８よりさらに前記開口１１３に近く、前記支持ブロック１１８に代わって前記スライドレール１１６の新しい支持点となる。そのため、従来技術のように前記支持ブロック１１８を支持点とする場合と比較して、前記トレー２０が前記ブラケット１０から完全に退出し且つ側方から加えられる力を受ける時、前記トレー２０の回転中心である前記支持部材１２０から前記トレー２０に加えられる力の作用点までの距離Ｌは短くなる。Ｍ（力のモーメント）＝Ｆ（力の大きさ）×Ｌ（回転中心から力の作用点までの距離）によって、前記トレー２０が前記ブラケット１０から完全に退出した時、力のモーメントはＭであり、このモーメントＭに対して、回転中心から力の作用点までの距離Ｌが短くなる、すなわち従来技術のように前記支持ブロック１１８とトレー２０におけるブラケット１０から最も離れる端部との間の距離よりも短いので、前記トレー２０が受けることができる力の大きさＦは増大し、前記ディスクドライブ装置１００の側面の剛性が高くなる。前記支持部材１２０は、プレス加工により前記側壁１１２に形成された突出点であり、又は前記ガイドレール１１４を延長してなるものであり、もしくは前記側壁１１２の内側表面の前記開口１１３に近い末端に貼り付けた硬質綿である。
【００１３】
本発明のディスクドライブ装置１００は、前記ブラケット１０の２つの側壁１１２の前記開口１１３に近い末端に支持部材１２０を設けて、前記スライドレール１１６の新しい支持点とすることにより、回転中心から力の作用点までの距離Ｌが最も短いので、前記トレー２０が受けることができる力の大きさＦは最も大きく、前記ディスクドライブ装置１００の側面の剛性が高い。
【００１４】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１５】
１，１００  ディスクドライブ装置
２，１０  ブラケット
３，２０  トレー
１１０  底壁
１１２  側壁
１１３  開口
１１４  ガイドレール
１１６  スライドレール
１１８  支持ブロック
１２０  支持部材
２１２  ディスク載置部
Ａ  トレーの搬入及び搬出方向
Ｂ  Ａ方向に垂直な方向
Ｆ  側面からトレーに加えられる力の大きさ
Ｌ  回転中心である支持部材からトレーに加えられる力の作用点までの距離
【図１】
2012104214.tif 000003
【図２】
2012104214.tif 000004
【図３】
2012104214.tif 000005
【図４】
2012104214.tif 000006